【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
被写体を連続して撮像していく連続撮像制御手段と、
ユーザが任意のタイミングを指示するタイミング指示手段と、
前記タイミング指示手段により指示されたタイミングに基づいて、前記連続撮像制御手段により撮像された複数の画像データを取得する画像取得手段と、
撮影状況を取得する取得手段と、
前記取得手段により取得された撮影状況に応じたズレタイミング情報を取得するズレタイミング情報取得手段と、
前記ズレタイミング情報取得手段により取得されたズレタイミング情報及び前記画像取得手段により取得された画像データを用いて所定の処理を実行させる制御手段と、
を備えたこと特徴とする撮像装置。
【請求項２】
複数の撮影シーンと、
前記複数の撮影シーンのうち、ユーザが撮影状況に応じた撮影シーンを選択するための撮影シーン選択手段と、
を備え、
前記取得手段は、
前記撮影シーン選択手段により指定された撮影シーンを撮影状況として取得する手段を含むことを特徴とする請求項１記載の撮像装置。
【請求項３】
前記複数の撮影シーンにそれぞれに対応する撮影条件を記録した撮影条件テーブルを備え、
前記連続撮像制御手段は、
撮影条件テーブルから前記撮影シーン選択手段により選択された撮影シーンに対応する撮影条件を取得し、該取得した撮影条件で撮像を行なうことを特徴とする請求項２記載の撮像装置。
【請求項４】
ユーザが前記連続撮像制御手段により連続撮像されるフレームレートの高さを選択するためのフレームレート選択手段を備え、
前記取得手段は、
前記フレームレート選択手段により選択された高さのフレームレートを撮影状況として取得する手段を含むことを特徴とする請求項１乃至３の何れかに記載の撮像装置。
【請求項５】
前記連続撮像制御手段により撮像される画像データに基づいて、被写体の動き量を検出する動き量検出手段を備え、
前記取得手段は、
前記動き量検出手段により検出された動き量を撮影状況として取得する手段を含むことを特徴とする請求項１乃至４の何れかに記載の撮像装置。
【請求項６】
前記画像取得手段は、
前記タイミング指示手段により指示されたタイミングの前後、又は、指示されたタイミング以前又は以後に前記連続撮像制御手段により撮像された複数の画像データを取得することを特徴とする請求項１乃至５の何れかに記載の撮像装置。
【請求項７】
各撮影状況に応じたズレタイミング情報を記録したテーブルを備え、
前記ズレタイミング情報取得手段は、
前記取得手段により取得された撮影状況に応じたズレタイミング情報を前記テーブルから取得することを特徴とする請求項１乃至６の何れかに記載の撮像装置。
【請求項８】
前記画像取得手段により取得された画像データのうち、ユーザが任意の画像データを選択するための選択手段と、
前記選択手段により選択された画像データが前記連続撮像制御手段により撮像されたタイミングと、前記タイミング指示手段により指示されたタイミングとのズレ時間に基づいて、前記取得手段により取得された撮影状況に対応する前記テーブルに記録されているズレタイミング情報の記録を更新させる記録更新制御手段と、
を備えたことを特徴とする請求項７記載の撮像装置。
【請求項９】
前記制御手段は、
前記ズレタイミング取得手段により取得されたズレタイミング情報に基づいて、前記画像取得手段により取得された画像データの表示を制御する表示制御手段を含むことを特徴とする請求項１乃至８の何れかに記載の撮像装置。
【請求項１０】
前記表示制御手段は、
前記画像取得手段により取得された複数の画像データのうち、前記ズレタイミング情報取得手段により取得されたズレタイミング情報及び前記タイミング指示手段により指示されたタイミングで定められるタイミングで前記連続撮像制御手段により撮像された画像データを最初に単一表示させることを特徴とする請求項９記載の撮像装置。
【請求項１１】
前記表示制御手段は、
前記画像取得手段により取得された複数の画像データをマルチ表示させるとともに、前記ズレタイミング情報取得手段により取得されたズレタイミング情報及び前記タイミング指示手段により指示されたタイミングで定められるタイミングで前記連続撮像制御手段により撮像された画像データを最初に差別表示させることを特徴とする請求項９記載の撮像装置。
【請求項１２】
ユーザが前記画像取得手段により取得された画像データのうち、任意の画像データを指定する画像指定手段を備え、
前記表示制御手段は、
前記画像指定手段により画像データが指定された場合は、該単一表示又は差別表示させる画像データを該指定された画像データに変更させて表示させることを特徴とする請求項９乃至１１の何れかに記載の撮像装置。
【請求項１３】
前記選択手段により選択された画像データを記録手段に記録する記録制御手段を備えたことを特徴とする請求項８乃至１２の何れかに記載の撮像装置。
【請求項１４】
前記選択手段は、
ユーザによって所定の操作が行なわれたときに前記表示制御手段により単一表示又は差別表示されている画像データを選択することを特徴とする請求項１３記載の撮像装置。
【請求項１５】
ユーザが画像データの記録を指示する記録指示手段と、
前記記録指示手段により画像データの記録が指示された場合は、前記画像取得手段により取得された画像データを記録手段に記録する記録制御手段と、
を備え、
前記選択手段は、
前記記録指示手段により画像データの記録が指示されたときに前記表示制御手段により単一表示又は差別表示されている画像データを選択することを特徴とする請求項９乃至１２の何れかに記載の撮像装置。
【請求項１６】
前記記録制御手段は、
前記記録指示手段により画像データの記録が指示された場合は、該記録が指示されたときに前記表示制御手段により単一表示又は差別表示された画像データを記録することを特徴とする請求項１５記載の撮像装置。
【請求項１７】
前記制御手段は、
前記ズレタイミング取得手段により取得されたズレタイミング情報に基づいて、前記画像取得手段により取得された画像データの記録を制御する記録制御手段を含むことを特徴とする請求項１乃至７の何れかに記載の撮像装置。
【請求項１８】
前記記録制御手段は、
前記画像取得手段により取得された複数の画像データのうち、前記ズレタイミング情報取得手段により取得されたズレタイミング及び前記タイミング指示手段により指示されたタイミングで定められるタイミングで前記連続撮像制御手段により撮像された画像データを記録することを特徴とする請求項１７記載の撮像装置。
【請求項１９】
被写体を連続して撮像していく連続撮像制御処理と、
ユーザの操作に応じて任意のタイミングを指示するタイミング指示処理と、
前記タイミング指示処理により指示されたタイミングに基づいて、前記連続撮像制御処理により撮像された複数の画像データを取得する画像取得処理と、
撮影状況を取得する取得処理と、
前記取得処理により取得された撮影状況に応じたズレタイミング情報を取得するズレタイミング情報取得処理と、
前記ズレタイミング情報取得処理により取得されたズレタイミング情報及び前記画像取得処理により取得された画像データを用いて所定の処理を実行させる制御処理と、
を含み、上記各処理をコンピュータで実行させることを特徴とするプログラム。
【手続補正２】
【補正対象書類名】明細書
【補正対象項目名】００１９
【補正方法】変更
【補正の内容】
【００１９】
また、例えば、請求項１４に記載されているように、前記選択手段は、
ユーザによって所定の操作が行なわれたときに前記表示制御手段により単一表示又は差別表示されている画像データを選択するようにしてもよい。
【手続補正３】
【補正対象書類名】明細書
【補正対象項目名】００２０
【補正方法】変更
【補正の内容】
【００２０】
また、例えば、請求項１５に記載されているように、ユーザが画像データの記録を指示する記録指示手段と、
前記記録指示手段により画像データの記録が指示された場合は、前記画像取得手段により取得された画像データを記録手段に記録する記録制御手段と、
を備え、
前記選択手段は、
前記記録指示手段により画像データの記録が指示されたときに前記表示制御手段により単一表示又は差別表示されている画像データを選択するようにしてもよい。
【手続補正４】
【補正対象書類名】明細書
【補正対象項目名】００２１
【補正方法】変更
【補正の内容】
【００２１】
また、例えば、請求項１６に記載されているように、前記記録制御手段は、
前記記録指示手段により画像データの記録が指示された場合は、該記録が指示されたときに前記表示制御手段により単一表示又は差別表示された画像データを記録するようにしてもよい。